【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
可搬媒体を用いた認証を行うコンピュータであって、
可搬媒体が接続されているかどうかを検知する挿入状態監視手段と、
ユーザーからの第１の認証情報を受け付ける受付手段と、
前記挿入状態監視手段により前記可搬媒体が前記コンピュータに接続されていることを検知している場合に、前記第１の認証情報と前記可搬媒体とを用いて第１の認証処理を行う第１の認証手段と、
前記可搬媒体に格納された第２の認証情報を、前記可搬媒体から取得する取得手段と、
前記第２の認証情報を用いて他のコンピュータへの第２の認証処理を行う第２の認証手段とを有することを特徴とするコンピュータ。
【請求項２】
請求項１に記載の可搬媒体を用いた認証を行うコンピュータであって、
前記第２の認証情報を取得する前記取得手段は、前記第１の認証情報と前記可搬媒体とを用いて認証する前記第１の認証手段により、第１の認証処理が許可された場合に、前記可搬媒体から前記第２の認証情報を取得することを特徴とするコンピュータ。
【請求項３】
請求項１または２に記載の可搬媒体を用いた認証を行うコンピュータであって、
第２の認証処理が許可され、
前記挿入状態監視手段により前記可搬媒体が前記コンピュータに接続されていることを検知している場合に、
前記他のコンピュータへ処理要求を送信する送信手段
を有することを特徴とするコンピュータ。
【請求項４】
請求項１乃至３のいずれか１に記載の可搬媒体を用いた認証を行うコンピュータであって、
前記接続監視手段が、前記コンピュータから前記可搬媒体がはずれたことを検知した場合に、他のコンピュータとの処理を停止する手段を有することを特徴とするコンピュータ。
【請求項５】
請求項１乃至４のいずれか１に記載の可搬媒体を用いた認証を行うコンピュータであって、
前記可搬媒体が、FD、ICカード、腕輪、指輪、又はネクタイピンであることを特徴とするコンピュータ。
【請求項６】
請求項１乃至５のいずれか１に記載の可搬媒体を用いた認証を行うコンピュータであって、
前記第１の認証情報と前記可搬媒体とを用いた前記認証の処理が所定回数失敗した場合に、前記第２の認証情報を無効にする手段
を有することを特徴とするコンピュータ。
【請求項７】
請求項１乃至６のいずれか１に記載の可搬媒体を用いた認証を行うコンピュータであって、
前記第１の認証情報と前記可搬媒体とを用いた前記第１の認証の処理が所定回数失敗した場合に、前記可搬媒体内の情報を使用不可能な状態にする手段を有することを特徴とするコンピュータ。
【請求項８】
請求項１乃至７のいずれか１に記載の可搬媒体を用いた認証を行うコンピュータであって、
前記他のコンピュータへの第２の認証処理は、前記他のコンピュータへのログイン処理であることを特徴とするコンピュータ。
【請求項９】
請求項１乃至８のいずれか１に記載の可搬媒体を用いた認証を行うコンピュータであって、
前記他のコンピュータは、前記コンピュータに対する処理を行うサーバであることを特徴とするコンピュータ。
【請求項１０】
可搬媒体を用いた認証方法であって、
第１のコンピュータは、可搬媒体が接続されているかどうかを検知する挿入状態監視手段を有し、
前記挿入状態監視手段により、前記可搬媒体が前記第１のコンピュータに接続されていることを検知している場合に、以下の処理を実行する
（１）第１のコンピュータがユーザーからの第１の認証情報を受付け、
（２）前記第１の認証情報と前記可搬媒体とを用いて、前記第１のコンピュータで認証し、
（３）前記認証が許可された場合に、前記第１のコンピュータが、前記可搬媒体に格納された第２の認証情報を取得し、該第２の認証情報を用いて第２のコンピュータへの認証処理を行うことを特徴とする可搬媒体を用いた認証方法。
【請求項１１】
請求項１０に記載の可搬媒体を用いた認証方法であって、
前記第２の認証情報を用いた前記第２のコンピュータへの認証処理によりが許可された場合であり、かつ、
前記挿入状態監視手段により前記可搬媒体が前記コンピュータに接続されていることを検知している場合に、
前記第１のコンピュータが前記第２のコンピュータへ処理要求を送信することを特徴とする可搬媒体を用いた認証方法。
【請求項１２】
請求項１０または１１に記載の可搬媒体を用いた認証方法であって、
前記挿入状態監視手段が、前記可搬媒体が前記第１のコンピュータからはずされたことを検知した場合に、前記第２のコンピュータとの処理を停止することを特徴とする可搬媒体を用いた認証方法。
【請求項１３】
請求項１０乃至１２のいずれか１に記載の可搬媒体を用いた認証方法であって、
前記可搬媒体がFD、ICカード、腕輪、指輪、又はネクタイピンであることを特徴とする可搬媒体を用いた認証方法。
【請求項１４】
請求項１０乃至１３のいずれか１に記載の可搬媒体を用いた認証方法であって、
前記第１の認証情報と前記可搬媒体とを用いた前記認証の処理が所定回数失敗した場合に、前記第２の認証情報を無効にすることを特徴とする可搬媒体を用いた認証方法。
【請求項１５】
請求項１０乃至１４のいずれか１に記載の可搬媒体を用いた認証方法であって、
前記第１の認証情報と前記可搬媒体とを用いた前記認証の処理が所定回数失敗した場合に、
前記可搬媒体内の情報を使用不可能な状態にすることを特徴とする可搬媒体を用いた認証方法。
【請求項１６】
請求項１０乃至１５のいずれか１に記載の可搬媒体を用いた認証方法であって、
前記第２のコンピュータへの認証処理は、前記第２のコンピュータへのログイン処理であることを特徴とする可搬媒体を用いた認証方法。
【請求項１７】
請求項１０乃至１６のいずれか１に記載の可搬媒体を用いた認証方法であって、
前記第２のコンピュータは、前記第１のコンピュータに対する処理を行うサーバであることを特徴とする可搬媒体を用いた認証方法。
【請求項１８】
可搬媒体をコンピュータに接続することによりユーザーの認証及び他のコンピュータとの認証を行うコンピュータであって、
前記コンピュータは、前記可搬媒体が前記コンピュータに接続されているかどうかを検知する挿入状態監視手段を有し、
前記挿入状態監視手段が、前記コンピュータから前記可搬媒体がはずれたことを検知した場合に、
前記他のコンピュータとの処理を停止することを特徴とするコンピュータ。
【請求項１９】
可搬媒体をコンピュータに接続することによりユーザーの認証又は他のコンピュータとの認証を行うコンピュータであって、
前記コンピュータは、前記可搬媒体が前記コンピュータに接続されているかどうかを検知する挿入状態監視手段を有し、
前記挿入状態監視手段が、前記コンピュータから前記可搬媒体がはずれたことを検知した場合に、
ユーザーの認証又は他のコンピュータとの認証を不許可とすることを特徴とするコンピュータ。
【請求項２０】
可搬媒体をコンピュータに接続することによりユーザーの認証及び他のコンピュータとの認証を行う認証方法であって、
前記コンピュータは、前記可搬媒体が前記コンピュータに接続されているかどうかを検知する挿入状態監視手段を有し、
前記挿入状態監視手段が、前記コンピュータから前記可搬媒体がはずれたことを検知した場合に、前記他のコンピュータとの処理を停止するステップを有する認証方法。
【請求項２１】
可搬媒体をコンピュータに接続することによりユーザーの認証又は他のコンピュータとの認証を行う認証方法であって、
前記コンピュータは、前記可搬媒体が前記コンピュータに接続されているかどうかを検知する挿入状態監視手段を有し、
前記挿入状態監視手段が、前記コンピュータから前記可搬媒体がはずれたことを検知した場合に、
ユーザーの認証又は他のコンピュータとの認証を不許可とするステップを有することを特徴とする認証方法。